(57)【要約】【課題】陰極線管等の管内用抵抗器では、端子用電極と高電圧電位点との間でグロー放電が発生する恐れがあり、このグロー放電の発生に伴なって端子用電極が破壊されて絶縁被膜層が破壊し、飛散した絶縁被膜層の飛沫によりマスク詰まりや、あるいは抵抗体の破損を生じて分圧電圧に変動が発生しフォーカス品位を低下させていたが、端子用電極にグロー放電による放電電流が到達しないようにした管内用抵抗器及び抵抗器内蔵陰極線管を提供する。【解決手段】セラミックス系の材料によって形成された絶縁基板２９に複数の端子用電極３０を設け、この端子用電極３０間に所定の抵抗値となるように抵抗体３５を配設するとともに、端子用電極３０に透孔３１を穿設して、この透孔３１に端子片２７のはとめ部３２を挿入してかしめることにより、かしめ部３３と鍔部３４間で絶縁基板２９を挟持させ、この鍔部３４の外形寸法Ｌと端子用電極３０の外形寸法ｌとの関係を、Ｌ≧ｌに設定する。【選択図】　図１
2004079368.tif 000002
【特許請求の範囲】
【請求項１】
セラミックス系材料によって形成された方形の絶縁基板と、
この絶縁基板上に所定の抵抗値を得るように配設された抵抗体と、
この抵抗体に連接し一端を島状に形成した複数の端子用電極と、
この端子用電極と電気的に接続されるように前記絶縁基板を貫通して鍔部とはとめ部とで固定される複数の端子片とを有する管内用抵抗器において、
前記少なくとも１つの端子片の鍔部外形寸法Ｌを、前記端子用電極の外形寸法ｌに対し、Ｌ≧ｌの関係に設定したことを特徴とする管内用抵抗器。
【請求項２】
前記端子片の鍔部を前記端子用電極の外周囲まで延在させたことを特徴とする請求項１記載の管内用抵抗器。
【請求項３】
略矩形状のフェースパネルと、
このフェースパネルに連接する漏斗状のファンネルと、
前記フェースパネル内面に形成された蛍光体スクリーンと、
前記ファンネルのネック内に配置され電子ビームを形成及び前記蛍光体スクリーン上に集束させる複数のグリッド電極を備えた電子銃と、
前記電子銃に並設して前記ネック内に配置されセラミックス系材料によって形成された長方形状の絶縁基板と、
この絶縁基板上に所定の抵抗値を得るように配設された抵抗体と、
この抵抗体に連接し一端を島状に形成した複数の端子用電極と、
この端子用電極と電気的に接続されるように前記絶縁基板を貫通して鍔部とはとめ部とで固定される複数の端子片とを有する抵抗器を内蔵した抵抗器内蔵陰極線管において、
前記少なくとも１つの端子片の鍔部外形寸法Ｌを、前記端子用電極の外形寸法ｌに対し、Ｌ≧ｌの関係に設定したことを特徴とする抵抗器内蔵陰極線管。
【請求項４】
前記端子片の鍔部を前記端子用電極の外周囲まで延在させたことを特徴とする請求項３記載の抵抗器内蔵陰極線管。
【発明の詳細な説明】
【０００１】
【発明の属する技術分野】
本発明は、カラー陰極線管等に内蔵されグリッド電極に分圧された電圧を供給するための管内用抵抗器、及びこの管内用抵抗器を内蔵した抵抗器内蔵陰極線管に関する。
【０００２】
【従来の技術】
現在、一般的なカラーテレビジョン受像機等に使用されているカラー陰極線管は、図６に示すように、略矩形状を呈するフェースパネル６１と、このフェースパネル６１に一体的に接合された漏斗状のファンネル６２からなる外囲器を有し、そのフェースパネル６１の内面に、青、緑、赤に発光するストライプ状あるいはドット状の３色蛍光体層からなる蛍光体スクリーン６３が形成され、この蛍光体スクリーン６３に対向して、その内側に多数のアパーチャの形成されたシャドウマスク６４が装着されている。
【０００３】
一方、ファンネル６２のネック６５内には、３電子ビーム６６Ｂ，６６Ｇ，６６Ｒを放出する水平方向に一列に配列されたインライン型の電子銃６７が配設され、この電子銃６７から放出される３電子ビーム６６Ｂ，６６Ｇ，６６Ｒを、ファンネル６２の外側に装着された偏向ヨーク６８の発生する水平及び垂直偏向磁界によって偏向し、シャドウマスク６４を介して蛍光体スクリーン６３を、水平、垂直走査することによって、蛍光体スクリーン６３上にカラー画像を表示するように構成されている。
【０００４】
このようなカラー陰極線管においては、特に電子銃６７を同一水平面上を通るセンタービーム６６Ｇ、及びその両側の一対のサイドビーム６６Ｂ，６６Ｒを放出するインライン型の電子銃６７として構成し、電子銃６７の主レンズ部分の低圧側と高圧側の電極のサイドビーム通過孔の位置を偏心させることによって、蛍光体スクリーン６３中央において３本の電子ビーム６６Ｂ，６６Ｇ，６６Ｒを集中させ、偏向ヨーク６８の発生する水平偏向磁界をピンクッション形に、また垂直偏向磁界をバレル形に構成することで、一列配置の３電子ビーム６６Ｂ，６６Ｇ，６６Ｒを画面全域で自己集中するセルフコンバーゼンス方式のカラー陰極線管が広く実用化されている。
【０００５】
このようなカラー陰極線管に使用されている電子銃６７は、図７に示すように、例えば水平方向に一列配置された３本のカソードＫと、このカソードＫを加熱するヒータ（図示せず）及びカソードＫから電子ビーム６６Ｂ，６６Ｇ，６６Ｒの進行方向に順次配置された第１グリッド電極Ｇ１〜第８グリッド電極Ｇ８からなる複数個のグリッド電極と、この第８グリッドＧ８に溶接されたコンバーゼンスカップＣＶを有している。これら各グリッド電極Ｇ１〜Ｇ８は、ビードガラスからなる絶縁支持体６９によって所定の間隔で支持固定されており、更に、この電子銃６７の側面には、電子銃６７の長手方向に沿って管内用抵抗器７０が配設されている。
【０００６】
この各グリッド電極Ｇ１〜Ｇ８は、所定の電位となるようにバイアスされており、例えば第３グリッド電極Ｇ３と第５グリッド電極Ｇ５は共通に接続されて、抵抗器７０の中間部に設けた電圧供給端子Ｒ１から所定のフォーカス電圧が、また第４グリッド電極Ｇ４と第６グリッド電極Ｇ６が共通に接続され、この第４グリッド電極Ｇ４には、抵抗器７０の中間部に設けた他の電圧供給端子Ｒ２から２５〜３５ＫＶ程度の陽極電圧の約３５〜４５％程度に相当する電圧が供給され、また第７グリッド電極Ｇ７には、抵抗器７０の中間部に設けた他の電圧供給端子Ｒ３を介して陽極電圧の５０〜７０％程度に相当する電圧が供給され、第８グリッドＧ８にはまた別の電圧供給端子Ｒ４及びコンバーゼンスカップＣＶを介して陽極電圧がそのまま印加されており、これら各グリッド電極Ｇ１〜Ｇ８によって、電子ビーム６６Ｂ，６６Ｇ，６６Ｒを蛍光体スクリーン６３上に集束する主レンズを含む複数の電子レンズとして形成している。また、抵抗器７０の一端は、端子Ｒ５を介してアースされている。
【０００７】
このように、陽極電圧を分圧して必要なグリッド電極に動作電圧を供給するための管内用抵抗器７０は、図８に示すように構成されている。
【０００８】
即ち、酸化アルミニウム等のセラミックス系の材料で形成された長方形状の絶縁基板７１を備え、この絶縁基板７１の所定の箇所には、複数の島状の端子用電極７２が配置されており、この電極７２は、酸化ルテニウムを含む金属酸化物とほう硅酸鉛系のガラスよりなる電極材料を印刷して乾燥させ焼成して形成されている。この電極７２の中央部には、図９に示すように、絶縁基板７１を貫通する透孔７３が形成され、更にこの電極７２には、一端にはとめ部７４を有する舌片状の端子片７５が、はとめ部７４を透孔７３中に挿入して後に、はとめ部７４をかしめることによってかしめ部７６を形成し、絶縁基板７１と端子用電極７２とを鍔部７７とかしめ部７６とで両側から挟持するように取着することで、端子片７５を絶縁基板７１に固定している。
【０００９】
この端子用電極７２には、各端子用電極７２間で所定の抵抗値が得られるように、その幅や端子用電極７２間での長さを設定した抵抗体７８が配設されている。この抵抗体７７は、酸化ルテニウムを含む金属酸化物とほう硅酸鉛系のガラスよりなる抵抗材料を、所定の抵抗値が得られるようにその幅や長さを、例えば図示のように、蛇行させたり間隔を異ならせる等して印刷し、乾燥後に焼成して設けているものである。これらの抵抗体７８及び絶縁基板７１面は、端子用電極７２部分を除いて絶縁被膜層７９によって被覆して管内用抵抗器７０が構成されている。
【００１０】
このような管内用抵抗器７０としては、偏向ヨーク６８にて発生する偏向磁界に影響を与えないようにするとともに、電子銃６７の電界部分を乱し、放電や電子の軌道をずらしたりしないことが必要であり、このために端子片７５は、Ｆｅ−Ｎｉ−Ｃｒ合金からなる非磁性ステンレス鋼等の比透磁率が１．０１以下、好ましくは１．００５以下の磁界に影響を与えない非磁性合金によって形成されるのが一般的である。
【００１１】
このように、端子片７５は、はとめ部７４を絶縁基板７１の透孔７３中に挿入した後にかしめられて、端子片７５のはとめ部７４周辺の鍔部７７とかしめ部７６とで、絶縁基板７１とともに端子用電極７２とを強固に挟持させて電気的な接続とともに固定を行っている。この鍔部７７の外形寸法Ｌ´は、例えば１．３ｍｍに設定され、端子用電極７２の外形寸法ｌ´は１．５ｍｍに設定されている。従って、外形寸法Ｌ´とｌ´との関係は、Ｌ´＜ｌ´となるように設定されており、端子用電極７２の端縁部分は鍔部７７から外部に露呈される構成となっている。
【００１２】
【発明が解決しようとする課題】
しかしながら、このような高電圧が印加されるカラー陰極線管においては、その耐電圧特性を良好なものとするために、カラー陰極線管の製造工程での排気の終了の後に、通常の動作電圧の２〜３倍程度のピーク電圧（６０〜７０ｋＶ）を持つパルス状の交流電圧を印加することにより、強制的に放電させることによって、耐電圧の低下の原因となる電子銃６７を構成するグリッド電極Ｇ１〜Ｇ８及びコンバーゼンスカップＣＶのバリや付着物等を除去する耐電圧処理が施されている。
【００１３】
この高い交流電圧を印加すると、２次電子を放出し易い絶縁基板７１上に配設されている端子用電極と管内放電を防止するために用いられている、例えば第５グリッド電極Ｇ５位置に絶縁支持体６９を囲うように巻回されたサプレッサーリングと称される金属性リング（図示せず）、あるいは交流電圧源と抵抗器７０の低圧側との間で電界が発生し、これによってグロー放電が発生する場合がある。この際に鍔部７７と端子用電極７２との間には抵抗成分が存在するために、端子用電極７２の周縁部分に電荷が集中している。このグロー放電は絶縁被膜層７９の上層部を通って電荷が集中している端子用電極７２の周縁部に到達するために、絶縁被膜層７８内の端子用電極７２に放電電流を流入させ、この端子用電極７２の絶縁破壊を引起こしていた。この絶縁破壊が発生すると同時に端子用電極７２に近接配置されている絶縁被膜層７９も破壊されて、絶縁被膜層７９の飛沫が管内に飛散し、この飛散された飛沫がシャドウマスク６４のアパーチャに到達し、シャドウマスク６４のマスク詰まりの一因となっている。更に、この絶縁破壊によって、端子用電極７２と接続されている抵抗体７８までも破壊する場合もあり、最悪の場合には、抵抗体７８が断線させられる。
【００１４】
このように、シャドウマスク６４のマスク詰まりや抵抗体７８の断線が発生するとカラー陰極線管としては不良品となり、もはや製品として出荷することはできない。また、抵抗体７８の断線、あるいは抵抗体７８の断線を免れたとしても、グロー放電が発生したことによって、抵抗体７８に過大な電流が流れて抵抗体７８に破損等のダメージを与えるので、所定の分圧電圧を得ることができなくなり、このため電子銃６７のフォーカス不良につながってしまう問題があった。
【００１５】
本発明は、このような課題に対処してなされたものであり、端子用電極上に配置される端子片の鍔部の外形寸法を端子用電極の外形寸法と同等以上に設定することにより、グロー放電による放電電流の端子用電極への流入を防止して、電極用端子の絶縁破壊を防止し得る管内用抵抗器及び抵抗器内蔵陰極線管を提供することができるものである。
【００１６】
【課題を解決するための手段】
本発明は、セラミックス系材料によって形成された方形の絶縁基板と、この絶縁基板上に所定の抵抗値を得るように配設された抵抗体と、この抵抗体に連接し一端を島状に形成した複数の端子用電極と、この端子用電極と電気的に接続されるように絶縁基板を貫通して鍔部とはとめ部とで固定される複数の端子片とを有する管内用抵抗器において、少なくとも１つの端子片の鍔部外形寸法Ｌを、端子用電極の外形寸法ｌに対し、Ｌ≧ｌの関係に設定して管内用抵抗器を構成したものである。
【００１７】
また、略矩形状のフェースパネルと、このフェースパネルに連接する漏斗状のファンネルと、フェースパネル内面に形成された蛍光体スクリーンと、ファンネルのネック内に配置され電子ビームを形成及び蛍光体スクリーン上に集束させる複数のグリッド電極を備えた電子銃と、電子銃に並設してネック内に配置されセラミックス系材料によって形成された長方形状の絶縁基板と、この絶縁基板上に所定の抵抗値を得るように配設された抵抗体と、この抵抗体に連接し一端を島状に形成した複数の端子用電極と、この端子用電極と電気的に接続されるように絶縁基板を貫通して鍔部とはとめ部とで固定される複数の端子片とを有する抵抗器を内蔵した抵抗器内蔵陰極線管において、少なくとも１つの端子片の鍔部外形寸法Ｌを、端子用電極の外形寸法ｌに対し、Ｌ≧ｌの関係に設定して抵抗器内蔵陰極線管を構成したものである。
【００１８】
このように構成することで、グロー放電発生時にグロー放電による放電電流が端子用電極へ流れ込まないようにすることが可能となり、端子用電極の絶縁破壊を防止することができ、良好な特性を保持した管内用抵抗器及び抵抗器内蔵陰極線管を得ることが可能となった。
【００１９】
【発明の実施の形態】
以下、本発明の実施の形態について図面を参照して詳細に説明する。
【００２０】
本発明に係る管内用抵抗器及び抵抗器を内蔵したカラー陰極線管は、図１に示すように構成されている。
【００２１】
即ち、略矩形状を呈するフェースパネル１１と、このフェースパネル１１に一体的に接合された漏斗状のファンネル１２からなる外囲器を有し、このフェースパネル１１の内面に、青、緑、赤に発光するストライプ状あるいはドット状の３色蛍光体層からなる蛍光体スクリーン１３が形成され、この蛍光体スクリーン１３に対向して、その内側に多数のアパーチャの形成されたシャドウマスク１４がマスクフレーム１５に取着され、このマスクフレーム１５は、弾性支持体１６及びスタッドピン１７を介してフェースパネル１１内側に装着され、このマスクフレーム１５には、磁気シールド板１８が取着されている。
【００２２】
一方、ファンネル１２のネック１９内には、３電子ビーム２０Ｂ，２０Ｇ，２０Ｒを放出する水平方向に一列に配列されたインライン型の電子銃２１が配設され、この電子銃２１から放出される３電子ビーム２０Ｂ，２０Ｇ，２０Ｒを、ファンネル１２の外側に装着された偏向ヨーク２２の発生する水平及び垂直偏向磁界によって偏向し、シャドウマスク１４を介して蛍光体スクリーン１３を水平、垂直走査することにより、蛍光体スクリーン１３上にカラー画像を表示するように構成されている。
【００２３】
このようなカラー陰極線管においては、特に電子銃２１が、同一水平面上を通るセンタービーム２０Ｇ、及びその両側の一対のサイドビーム２０Ｂ，２０Ｒを放出するインライン型の電子銃２１として構成され、電子銃２１の主レンズ部分の低圧側と高圧側の電極のサイドビーム通過孔の位置を偏心させることによって、蛍光体スクリーン１３中央において３本の電子ビーム２０Ｂ，２０Ｇ，２０Ｒを集中させ、偏向ヨーク２２の発生する水平偏向磁界をピンクッション形に、また垂直偏向磁界をバレル形に構成することで、セルフコンバーゼンス方式のカラー陰極線管を構成している。
【００２４】
この電子銃２１構体は、図２に示すように、水平方向に一列配置された３本のカソードＫと、このカソードＫを加熱するヒータ（図示せず）及びカソードＫから電子ビーム２０Ｂ，２０Ｇ，２０Ｒの進行方向に順次同軸上に共通に配置された第１グリッド電極Ｇ１〜第８グリッド電極Ｇ８からなる複数個のグリッド電極、並びに第８グリッド電極Ｇ８に溶接されたコンバーゼンスカップＣＶを有し、これらカソードＫ及び各グリッド電極Ｇ１〜Ｇ８は、ビードガラスからなる一対の絶縁支持体２３によって、所定の間隔で絶縁支持体２３間に支持固定されており、この絶縁支持体２３の側面には、絶縁支持体２３の長手方向に沿って管内用抵抗器２４が配設され、この抵抗器２４の高圧側には、陽極電圧が供給されている。
【００２５】
この第３グリッド電極Ｇ３と第５グリッド電極Ｇ５とは共通に接続されており、コンバーゼンスカップＣＶは第８グリッド電極Ｇ８と溶接にて固定され、電気的な接続も行われている。このコンバーゼンスカップＣＶには、導電スプリング２５が取付けられており、この導電スプリング２５は、陽極電圧が供給される管内内壁に被着されているグラファイト導電膜２６に弾性的に接触することによって陽極電圧を取込んでいるもので、この陽極電圧はコンバーゼンスカップＣＶ及び第８グリッド電極Ｇ８に供給されるとともに、端子片２７を介して抵抗器２４の一端に供給されている。この抵抗器２４に供給された陽極電圧は、抵抗器２４の抵抗によって分圧され、各端子片２７から分圧電圧を取出して第７グリッド電極Ｇ７、第６グリッド電極Ｇ６及び第５グリッド電極Ｇ５に供給され、抵抗器２４の他端には、アースピン２８に導くための端子片２７が設けられている。
【００２６】
このような管内用抵抗器２４は、図３に示すように構成されている。
【００２７】
即ち、酸化アルミニウム等のセラミックス系の材料で形成された長方形状の絶縁基板２９を備え、この絶縁基板２９の所定の箇所には、島状の端子用電極３０が配置されている。この端子用電極３０は、酸化ルテニウムを含む金属酸化物とほう硅酸鉛系のガラスよりなる１０ｋΩ／□のシート抵抗値を有する低抵抗ペースト材をスクリーン法によって印刷し、乾燥させた後に焼成して形成されている。この端子用電極３０の中央部には、図４に示すように、絶縁基板２９を貫通する透孔３１が穿設され、またこの端子用電極３０には、一端にはとめ部３２を有する舌片状のステンレス鋼材やクロム酸化膜付の金属鋼材等からなる端子片２７が、はとめ部３２を透孔３１中に挿入した後にはとめ部３２をかしめることによってかしめ部３３を形成し、このかしめ部３３とはとめ部３２周囲の鍔部３４とで、端子用電極３０を含む絶縁基板２９を挟持することで取着、及び電気的な接続がなされている。
【００２８】
この端子用電極３０には、端子用電極３０間で所定の抵抗値が得られるように、端子用電極３０間の長さや幅を所定の値に設定した抵抗体３５が配設されている。この抵抗体３５は、酸化ルテニウムを含む金属酸化物とほう硅酸鉛系のガラスよりなる５ＭΩ／□のシート抵抗値を有する高抵抗ペースト材を、所定の抵抗値０．１×１０９〜２．０×１０９Ωが得られるように、その長さや幅を蛇行させたり間隔を異ならせる等してスクリーン法によって印刷し、その後に乾燥及び焼成を行って形成しているものである。そして、これら抵抗体３５及び絶縁基板２９面は、端子用電極３０部分を除いて遷移金属酸化物とほう硅酸鉛を主成分とする絶縁部材をスクリーン法によって印刷、乾燥、焼成することにより絶縁被膜層３６を形成し、この絶縁被膜層３６によって端子用電極３０部分を除いた抵抗体３５及び絶縁基板２９の全面を被覆して、管内用抵抗器２４を構成している。
【００２９】
なお、端子用電極３０と絶縁被膜層３６との間隔は、島状の端子用電極３０の外周全ての領域で等間隔となるように設定したり、あるいは放電の確率が低い低電圧側の部分を狭く、もしくはゼロとなるようにアンバランスに設定することも可能である。
【００３０】
このように抵抗器２４を構成し、例えば第７グリッド電極Ｇ７が接続される端子片２７の鍔部３４の外形寸法をＬ、対応する端子用電極３０の外形寸法をｌとした場合に、両者の関係をＬ＞ｌの関係に設定している。この鍔部３４の外形寸法Ｌは、例えば１．３ｍｍに設定され、端子用電極３０の外形寸法ｌは０．８ｍｍに設定されている。従って、鍔部３４は端子用電極３０の外周囲から絶縁基板２９の平面方向に突出され、端子用電極３０を覆うように配置される。
【００３１】
このように、夫々の外形寸法Ｌ，ｌをＬ＞ｌに設定することにより、端子用電極３０は鍔部３４によって覆われ、端子用電極３０の周縁部が外部に露呈することがなく、このため端子用電極３０と高電圧電位点との間でグロー放電が発生しようとしても、端子用電極３０の外側に鍔部３４が突出しているために、グロー放電が発生した場合でも端子用電極３０から２次電子放出がしにくくなり、放電電流がより高電圧電位点に接近して配置されている鍔部３４側に流れることになり、端子用電極３０には直接流入することがない。従って、グロー放電の放電電流による端子用電極３０の破壊を防止することができ、絶縁被膜層３６の破損も防止される。
【００３２】
よって、絶縁被膜層３６の破損に伴なう飛沫の飛散の発生が防止されるので、シャドウマスク１４のマスク詰まりをなくすことができる。更に、グロー放電の基点となる端子用電極２７の縁部を覆うことが可能で、抵抗器起因のグロー放電を抑制することができ、グロー放電電流による抵抗体３５に与えるダメージをなくし、フォーカス不良や抵抗体３５の断線等の不具合点を改善することが可能となる。
【００３３】
このような効果を検証するために、本実施の形態の管内用抵抗器を内蔵した陰極線管（実施品）と、従来構成の管内用抵抗器を内蔵した陰極線管（比較品）とを用いて強制デガウサー試験を行って比較を行った。
【００３４】
この強制デガウサー試験とは、陰極線管の外部から強制的に強い磁界を電子銃部分に印加して意図的にグロー放電を起こさせて試験を行うもので、グロー放電が終息すれば良品と判定され、グロー放電が継続して発生する場合には不良品と判定されるものである。
【００３５】
なお、併せて耐電圧処理についても、その処理前後での抵抗分割比変化を測定した耐電圧処理試験を行った。これらの強制デガウサー試験と耐電圧処理試験を実施品及び比較品ともサンプル５０本について実施した結果、表１に示すような結果が得られた。
【表１】
2004079368.tif 000003
この表１からも判るように、強制デガウサー試験では、実施品の不良発生数が０であったのに対し、比較品においては５０本中の５本についてグロー放電の継続発生が確認され、その効果が実証された。
【００３６】
一方、耐電圧処理試験については、実施品では分割比変化ΔＥが−０．４％〜＋０．２％の間で変化し、その平均としてΔＥ＝−０．１％となったのに対し、比較品では分割比変化ΔＥが−０．５％〜＋０．１％の間で変化し、その平均としてΔＥ＝−０．２％との結果が得られ、耐電圧処理試験においても実施品は比較品と比較しても遜色のない結果を得ることができ、グロー放電防止用対策を施した実施品においても、耐電圧処理の点で比較品と同程度の効果を達成していることが確認され、他の性能や特性等に悪影響を与えていないことが判明した。
【００３７】
このように、鍔部３４によって端子用電極３０を外部から隠すように構成することで、グロー放電の発生を防止することができたが、この効果をより一層向上させるために、図５に示すように、端子用電極３０よりも突出している鍔部３４の先端外周部分をかしめ部３３方向に湾曲させて、端子用電極３０の外周縁部分までも覆い隠すように構成することも可能である。
【００３８】
即ち、鍔部３４の外形寸法Ｌと端子用電極３０の外形寸法ｌとの関係をＬ＞ｌとなるように維持しつつ、鍔部３４の外周部分を端子用電極３０の外側面方向に湾曲させた構成としている。
【００３９】
このように構成することによって、端子用電極３０の外部へ露呈する殆どの部分を鍔部３４によって覆い隠すことが可能となるので、より一層確実に端子用電極３０に発生するグロー放電を抑制することができるとともに、端子片２７の固定も強固にすることが可能で、しかもこの湾曲させる作業は、はとめ部３２をかしめる際に同時に行うことが可能であり、作業工程を増加させることなく実施が可能である。
【００４０】
なお、本発明はこれら実施の形態に限定されることなく、例えば鍔部の外形寸法Ｌは最低限端子用電極の外形寸法ｌと同等の大きさとすることでもグロー放電の抑止効果が発揮され、更にグリッド電極構成が異なる電子銃構体にも適用することが可能であり、また陰極線管に限らず分圧抵抗器を内蔵するその他の電子管にも適用が可能である。
【００４１】
また、絶縁基板の形状も長方形状に限定されることなく、管内スペースに応じた方形状に形成すれば使用可能であり、更に絶縁基板のスペースファクターの観点から、抵抗体を基板の両面に形成して、その間をスルーホールピン等で電気的に接続するように構成すれば、パターン配置に余裕を持たせたり、あるいはそれだけ基板自体を小型化することが可能となる。
【００４２】
また、絶縁基板と絶縁支持体とを兼用させて形成することも可能で、更にはとめ部の形状も円形状に限らず二股の鉤状のものや四角形状等の種々の形状を採用したり、所要の複数の端子用電極に本発明を適用することも可能等、その他種々の応用や変形が可能なことはいうまでもない。
【００４３】
【発明の効果】
以上述べてきたように、本発明によれば、グロー放電による放電電流の端子用電極への流入を抑制し、端子用電極の絶縁破壊を防止することが可能となり、マスク詰まりやフォーカス不良等の発生を未然に防止することが可能な管内用抵抗器、及びこの抵抗器を内蔵した抵抗器内蔵陰極線管を得ることができるものである。
【図面の簡単な説明】
【図１】本発明に係る管内用抵抗器を内蔵した抵抗器内蔵陰極線管を示す断面図。
【図２】同じく抵抗器内蔵陰極線管の電子銃部分を示す縦断面図。
【図３】同じく抵抗器内蔵陰極線管に使用される管内用抵抗器を示す平面図。
【図４】同じく管内用抵抗器の端子用電極及び端子片部分を示す断面図。
【図５】同じく管内用抵抗器を構成する端子片の他の構成を示す断面図。
【図６】従来のカラー陰極線管を示す断面図。
【図７】同じくカラー陰極線管の電子銃部分を示す縦断面図。
【図８】同じく管内用抵抗器を示す平面図。
【図９】同じく管内用抵抗器の端子用電極及び端子片部分を示す断面図。
【符号の説明】
１１：：フェースプレート
１２：ファンネル
１３：蛍光体スクリーン
１９：ネック
２０Ｂ，２０Ｇ，２０Ｒ：電子ビーム
２１：電子銃
２４：（管内用）抵抗器
２７：端子片
２９：絶縁基板
３０：端子用電極
３１：透孔
３２：はとめ部
３３：かしめ部
３４：鍔部
３５：抵抗体
Ｇ１〜Ｇ８：グリッド電極
ＣＶ：コンバーゼンスカップ
【図１】
2004079368.tif 000004
【図２】
2004079368.tif 000005
【図３】
2004079368.tif 000006
【図４】
2004079368.tif 000007
【図５】
2004079368.tif 000008
【図６】
2004079368.tif 000009
【図７】
2004079368.tif 000010
【図８】
2004079368.tif 000011
【図９】
2004079368.tif 000012